(57)【要約】【課題】収容部に収納した清掃具を移動する際に、柄部が保持部から外れることはなく、柄部のロック状態を維持する。【解決手段】背蓋部２ｃには、前後方向に平行する２本の軸部２ｄが設けられており、これらの軸部２ｄに軸支される１対の回動片部２ｅが、切欠部２ｂを挟むようにして対向して配置されている。回動片部２ｅの側面には軸方向と直交する滑止板部２ｇが設けられており、清掃具の柄部を切欠部２ｂに挿入した状態で、上方向に柄部を持ち上げると、柄部と湾曲した状態で接している滑止板部２ｇと共に、回動片部２ｅが軸部２ｄを中心に回動を始める。回動片部２ｅが回動すると回動片部２ｅ間の長さが徐々に狭まり、柄部を挟持するロック状態となる。移動後に床面に載置することで、回動片部２ｅが元の状態に戻り、ロック状態は解除される。【選択図】図３
2019202048.tif 000002
【特許請求の範囲】
【請求項１】
柄部及び清掃体部を備える清掃具の前記清掃体部を収容し、前方側を開放した収容部と、該収容部と連続し、前記柄部を保持する保持部とから構成される清掃具用スタンドであって、
前記保持部の上端から水平方向にかつ前後方向に突設した軸部に、少なくとも１つの回動片部を回動自在に軸支し、前記回動片部の回動により前記柄部を挟持することを特徴とする清掃具用スタンド。
【請求項２】
前記軸部に軸支された前記回動片部は、縦長形状をしており、側面に軸方向と垂直になるように複数の滑止板部が設けられていることを特徴とする請求項１に記載の清掃具用スタンド。
【請求項３】
前記滑止板部は、弾性を有する樹脂材で形成されていることを特徴とする請求項２に記載の清掃具用スタンド。
【請求項４】
前記軸部に軸支された前記回動片部を前記保持部の上端に左右対称に配置し、一対の前記回動片部の回動により前記柄部を挟持することを特徴とする請求項１〜３の何れか１項に記載の清掃具用スタンド。
【請求項５】
前記保持部の上端に中空状の頂箱部を設け、該頂箱部に前記前方側が切欠かれた切欠部を設け、前記頂箱部内に前記軸部に軸支された前記回動片部を、前記切欠部の少なくとも一端側に配置したことを特徴とする請求項１〜３の何れか１項に記載の清掃具用スタンド。
【請求項６】
前記切欠部の他端側に滑止加工を施した挟持片部を配置したことを特徴とする請求項５に記載の清掃具用スタンド。
【請求項７】
前記軸部に軸支された回動片部を前記切欠部を挟むように左右対称に配置し、一対の前記回動片部の回動により前記柄部を挟持することを特徴とする請求項５に記載の清掃具用スタンド。
【請求項８】
前記柄部を前記保持部に保持した状態で、前記柄部を持ち上げることで前記回動片部が回動し、前記柄部を強固に挟持するロック状態にすることを特徴とする請求項１〜７の何れか１項に記載の清掃具用スタンド。
【発明の詳細な説明】
【技術分野】
【０００１】
本発明は、清掃具を収納して起立させる清掃具用スタンドに関するものである。
【背景技術】
【０００２】
特許文献１には、収容部と差し込み部とを有するワイパー用塵取り部が開示されている。この塵取り部においては、ワイパー用塵取り部の収容部に使用後のワイパーの清掃体部を入れ、ワイパーの柄を差し込み部に軸支されるようにして、ワイパーの柄を起立した状態で収納することができる。
【先行技術文献】
【特許文献】
【０００３】
【特許文献１】特開２００６−２０９９０号公報
【発明の概要】
【発明が解決しようとする課題】
【０００４】
引用文献１のように、ワイパーをワイパー用塵取り部に収納した状態で、ワイパー及びワイパー用塵取り部を移動する際には、把持したワイパーの柄を上方に引き上げて、清掃体部上端を収容部に当接して、引っ掛けるように持ち上げてから、移動することになる。
【０００５】
この際に、把持した柄を差し込み部の開口方向に傾けた場合には、ワイパーが開口部から外れてしまうことになる。また、清掃体部上端が開口部に当接する際に、衝撃により清掃体部が破損したり、清掃体部が開口部に当接する衝撃で、清掃体部の清掃シートに付着している塵芥が清掃シートから落下してしまうことも考えられる。そして、収容部内に落下した塵芥が、更にワイパー用塵取り部からこぼれて床面を汚すという問題もある。
【０００６】
本発明の目的は、上述の問題点を解消し、収容部に収納した清掃具を移動する際に、柄部が保持部から外れることなく、柄部のロック状態を維持することができる清掃具用スタンドを提供することにある。
【課題を解決するための手段】
【０００７】
上記目的を達成するための本発明に係る清掃具用スタンドは、柄部及び清掃体部を備える清掃具の前記清掃体部を収容し、前方側を開放した収容部と、該収容部と連続し、前記柄部を保持する保持部とから構成される清掃具用スタンドであって、前記保持部の上端から水平方向にかつ前後方向に突設した軸部に、少なくとも１つの回動片部を回動自在に軸支し、前記回動片部の回動により前記柄部を挟持することを特徴とする。
【発明の効果】
【０００８】
本発明に係る清掃具用スタンドによれば、清掃具を起立した状態で清掃具の柄部を収納できると共に、この状態で柄部を持って持ち上げても、清掃具に衝撃等を与えることなく、保持部により柄部を強固に挟持するロック状態にすることができる。そして、清掃具が外れることなく任意の場所まで移動することができ、床面に載置するまで清掃具のロック状態を維持することができる。
【図面の簡単な説明】
【０００９】
【図１】清掃具の斜視図である。
【図２】清掃具用スタンドの斜視図である。
【図３】背面から見た状態の分解斜視図である。
【図４】平面図である。
【図５】図４のＩ−Ｉ線に沿った断面図である。
【図６】清掃具を保持した状態の平面図である。
【図７】図６のII−II線の沿った要部断面図である。
【図８】清掃具を保持した状態の保持部の拡大平面図である。
【発明を実施するための形態】
【００１０】
本発明を図示の実施例に基づいて詳細に説明する。
図１は柄部を起立した状態の清掃具の斜視図である。清掃具１０は、棒状の柄部１０ａと、この柄部１０ａの先端に回動自在に取り付けた清掃体部１０ｂとから構成されており、清掃体部１０ｂの表面の四隅には係止穴部１０ｃが設けられている。これらの係止穴部１０ｃの入口部には、柔軟な合成樹脂材から成る薄板部１０ｄが取り付けられている。
【００１１】
薄板部１０ｄには、鋸歯状の破断部１０ｅが形成されており、図示しない清掃シートの一部を清掃体部１０ｂの表面側から破断部１０ｅに押し込んで、清掃シートを固定できるようになっている。そして、清掃シートを破断部１０ｅから引き抜くことにより、清掃シートを容易に取り外すことが可能とされている。
【００１２】
図２は清掃具用スタンドの前方から見た斜視図、図３は背面から見た状態の分解斜視図、図４は平面図であり、図５は図４のＩ−Ｉ線に沿った断面図である。
【００１３】
清掃具用スタンドの大きさは、横３０ｃｍ、縦１０ｃｍ、高さ１５ｃｍ程度であり、収納する清掃具１０の大きさに応じて、適宜のサイズのものを使用することができる。
【００１４】
清掃具用スタンドは、主としてプラスチック材等の硬質の合成樹脂材、又は軽金属等を適宜に使用して成型され、清掃具１０の清掃体部１０ｂを収容する収容部１と、この収容部１の一部に設け、柄部１０ａを保持する保持部２とから構成されている。
【００１５】
一方向を開放し塵取り形状とした収容部１は、矩形状の底板部１ａと、この底板部１ａの左右の両側から垂直状に起立する１対の側板部１ｂと、これらの側板部１ｂの一方の端辺１ｃと連続し、同様に底板部１ａから起立し、内側に傾いて成る背板部１ｄとから構成されている。
【００１６】
両側板部１ｂの他方の端辺は、斜め方向に切欠された斜辺１ｅとされており、収容部１の背板部１ｄと対向する収容部１の前方側は塵取り用に開放されている。また、この部分の底板部１ａの前方側の辺部は、塵埃を取り込むための薄肉部１ｆとされている。
【００１７】
前方に傾斜した背板部１ｄの中央内側面には、清掃具１０用の取付部１ｇが固定されており、この取付部１ｇに保持部２が背板部１ｄと平行に挿入されて取り付けられるようになっている。なお、取付部１ｇに対し保持部２は、図示しないレール部材により摺動して、挿入される等の適宜の取付方法により取り付けられている。
【００１８】
保持部２の側面は逆Ｌ字状とされており、上端の中空状の頂箱部２ａには、上方から見てＵ字状の切欠部２ｂが設けられている。この切欠部２ｂは頂箱部２ａの前方側に切欠されており、切欠部２ｂの切欠幅は、清掃具１０の柄部１０ａの直径よりも若干大きい程度とされている。
【００１９】
図３の分解斜視図に示すように、頂箱部２ａ内には、背板部１ｄに取り付けられた背蓋部２ｃから、平行する２本の軸部２ｄが水平方向に、かつ背蓋部２ｃの面と直交する方向である前後方向に突出されており、２本の軸部２ｄにそれぞれ回動自在に軸支された１対の回動片部２ｅが、切欠部２ｂの両側に対向して配置されている。
【００２０】
回動片部２ｅは左右対称形であり、縦長形状の回動片部２ｅの上方側には、軸部２ｄが挿入可能な軸受孔部２ｆが設けられており、回動片部２ｅの内側面には軸部２ｄの方向と直交する複数枚の滑止板部２ｇが内方に向けて配置されている。
【００２１】
例えば、３枚の長板状の滑止板部２ｇは平行に配置されており、弾性を有する樹脂材、例えばゴム材から形成されている。なお、回動片部２ｅは全体を弾性樹脂で成形してもよいし、滑止板部２ｇ以外を硬質の合成樹脂材として、２色成型によって構成するようにしてもよい。
【００２２】
また、回動片部２ｅは頂箱部２ａ内に収納されているが、頂箱部２ａを設けない構成にしてもよい。このような場合では、保持部２の上端に背板を設け、この背板から平行する２本の軸部２ｄを突設し、これらの軸部２ｄに回動片部２ｅを係止するようにする。更に、軸部２ｄの先端には、回動片部２ｅが抜け落ちないように落下防止部を取り付ける。
【００２３】
また、回動片部２ｅは一対から成るものとして説明したが、片方のみであってもよい。この場合は、保持部２の上端である背板部１ｄ又は背板の軸部２ｄに１つの回動片部２ｅのみを設けることになる。そして、回動片部２ｅを配置しない軸部２ｄには、軸部２ｄに軸支する回動片部２ｅに代えて、滑止加工を施した回動しない挟持片部を配置すればよい。
【００２４】
図６は清掃具１０の柄部１０ａを保持部２で保持した状態の平面図であり、図７は図６のII−II線に沿った要部断面図である。
【００２５】
この清掃具用スタンドは、保持部２を片手で把持して塵取りとしても使用することができる。スタンドとして使用をする際には、先ず前方から清掃具１０の底面が収容部１の底板部１ａに接するようにして、図６に示す矢印Ａの方向に移動させる。この移動により、柄部１０ａは保持部２内に挿入されることになる。
【００２６】
なお、背板部１ｄは底板部１ａから斜めに立設されているので、保持部２の切欠部２ｂに柄部１０ａを挿入した際に、清掃体部１０ｂの下端部が背板部１ｄに接触することなく、底板部１ａの略中央に清掃具１０が起立することになる。
【００２７】
そして、柄部１０ａが切欠部２ｂ内に挿入されると、図８に示すように、頂箱部２ａ内に突出している滑止板部２ｇが、柄部１０ａの挿入に対応して引っ張られ、後方に湾曲した状態で柄部１０ａに接触することになる。また、矢印Ａと反対方向に柄部１０ａを移動させると、柄部１０ａは保持部２から容易に外れることになる。
【００２８】
柄部１０ａを切欠部２ｂ内に挿入した状態で、図７に示す矢印Ｂの上方向に柄部１０ａを持ち上げると、柄部１０ａと湾曲した状態で接している滑止板部２ｇが軸部２ｄを中心に回動する。これにより、回動片部２ｅの下方の間隙が狭まり、滑止板部２ｇにより柄部１０ａを両側から強固に挟持するロック状態となる。滑止板部２ｇはゴム等から成るので、柄部１０ａを挟着し、清掃具１０が保持部２から滑り落ちることもない。
【００２９】
なお、前述の一方側に回動片部２ｅを配置し、他方側に挟持片部を配置した清掃具用スタンドの場合では、柄部１０ａを保持部２で保持した状態、つまり回動片部２ｅ、挟持片部間に挿入した状態で、上方向に柄部１０ａを持ち上げると、一方側の回動片部２ｅのみが回動することで、ロック状態とすることができる。ただし、一対の回動片部２ｅによる柄部１０ａの挟持力に比べると、一方側の回動片部２ｅのみによる柄部１０ａの挟持力は低下する。
【００３０】
このように、柄部１０ａを持ち上げてロック状態にすると、柄部１０ａを大きく傾けても、保持部２から柄部１０ａが外れることはない。そして、柄部１０ａを持ち上げた状態で、任意の場所まで移動し、清掃具用スタンドを床に載置できる。
【００３１】
この載置により、柄部１０ａから手を離すと、柄部１０ａが自重により低下し、矢印Ｂの方向の力が解除され、回動片部２ｅが元の状態に戻る。このようにして、清掃具１０のロック状態は解除され、柄部１０ａを前方側に移動することで、清掃具１０を清掃具用スタンドから容易に分離することができる。
【００３２】
このように清掃具用スタンドは、清掃具１０を起立した状態で収納することができると共に、収納した状態で持ち上げることで、清掃具１０に衝撃等を与えることなくロック状態にすることができる。そして、清掃具１０が外れることなく任意の場所まで移動することができ、床面に載置するまで清掃具１０のロック状態を維持することができる。
【符号の説明】
【００３３】
１  収容部
２  保持部
２ａ  頂箱部
２ｂ  切欠部
２ｄ  軸部
２ｅ  回動片部
２ｇ  滑止板部
１０  清掃具
１０ａ  柄部
１０ｂ  清掃体部
【図１】
2019202048.tif 000003
【図２】
2019202048.tif 000004
【図３】
2019202048.tif 000005
【図４】
2019202048.tif 000006
【図５】
2019202048.tif 000007
【図６】
2019202048.tif 000008
【図７】
2019202048.tif 000009
【図８】
2019202048.tif 000010